(57)【要約】      （修正有）【課題】レンズの外周エッジや二重焦点レンズの小玉の境界部分の視認性を高めることができるカップ取付け装置及び該装置にて使用するパターン板を提供する。【解決手段】眼鏡レンズＬＥよリ大きな径の拡散照明光により照明されたレンズＬＥを観察し、カップ取り付けの基準軸に対してレンズＬＥを所定の位置関係にアライメントしてカップを取り付けるカップ取付装置において、レンズＬＥより下方の拡散照明光の光路中に配置されるパターン板８０を備え、パターン板８０には、レンズの外周エッジを確認するために、該エッジの内側から外側に広がった領域で、且つエッジの確認が必要な円周方向の領域に少なくとも形成された連続性を持つパターンであって、拡散照明光によりレンズの外側領域にて観察されるパターンに対して、レンズの内側領域のエッジ付近にて観察されるパターンの連続性にレンズが持つ屈折力によりずれを発生させる。【選択図】図２
2007216355.tif 000002
【特許請求の範囲】
【請求項１】
眼鏡レンズよリ大きな径の拡散照明光により照明されたレンズを観察し、カップ取り付けの基準軸に対してレンズを所定の位置関係にアライメントしてカップを取り付けるカップ取付装置において、
レンズより下方の拡散照明光の光路中に配置されるパターン板を備え、
前記パターン板には、レンズの外周エッジを確認するために、レンズの外周エッジの内側から外側にかけて広がった領域で、且つレンズの外周エッジの確認が必要な円周方向の領域に少なくとも形成された連続性を持つパターンであって、拡散照明光によりレンズの外側領域にて観察されるパターンに対して、レンズの内側領域のエッジ付近にて観察されるパターンの連続性にレンズが持つ屈折力によりずれを発生させるパターンが形成されていることを特徴とするカップ取付装置。
【請求項２】
請求項１のカップ取付装置において、前記パターンは、レンズの外周エッジに対して斜めに横切るライン状のパターンを持つことを特徴とするカップ取付装置。
【請求項３】
請求項１のカップ取付装置において、前記パターン板には、さらに二重焦点レンズの小玉の境界を確認するために、小玉の左側境界及び右側境界がそれぞれ位置する内側から外側にかけて広がった領域に少なくとも形成された連続性を持つ第２のパターンであって、小玉の外側領域にて観察されるパターンに対して、小玉の内側領域内の左側境界付近及び右側境界付近にて観察されるパターンの連続性に小玉の屈折力によりずれを発生させる第２のパターンが形成されていることを特徴とするカップ取付装置。
【請求項４】
眼鏡レンズよリ大きな径の拡散照明光により照明されたレンズを観察し、カップ取り付けの基準軸に対してレンズを所定の位置関係にアライメントしてカップを取り付けるカップ取付装置において、
レンズより下方の拡散照明光の光路中に配置されるパターン板を備え、
前記パターン板には、二重焦点レンズの小玉の境界を確認するために、小玉の左側境界及び右側境界がそれぞれ位置する内側から外側にかけて広がった領域に少なくとも形成された連続性を持つパターンであって、小玉の外側領域にて観察されるパターンに対して、小玉の内側領域内の左側境界付近及び右側境界付近にて観察されるパターンの連続性に小玉の屈折力によりずれを発生させるパターンが形成されていることを特徴とするカップ取付装置。
【請求項５】
請求項４のカップ取付装置において、前記パターンは、小玉の左側境界及び左側境界に対して斜めに横切るライン状のパターンを持つことを特徴とするカップ取付装置。
【請求項６】
眼鏡レンズよリ大きな径の拡散照明光により照明されたレンズを観察し、カップ取り付けの基準軸に対してレンズを所定の位置関係にアライメントしてカップを取り付けるカップ取付装置にて使用すために、レンズより下方の拡散照明光の光路中に配置されるパターン板であり、
レンズの外周エッジを確認するために、レンズの外周エッジの内側から外側にかけて広がった領域で、且つレンズの外周エッジの確認が必要な円周方向の領域に少なくとも形成された連続性を持つパターンであって、レンズの外側領域にて観察されるパターンに対して、レンズの内側領域のエッジ付近にて観察されるパターンの連続性にレンズが持つ屈折力によりずれを発生させるパターンが形成されていることを特徴とするパターン板。
【請求項７】
眼鏡レンズよリ大きな径の拡散照明光により照明されたレンズを観察し、カップ取り付けの基準軸に対してレンズを所定の位置関係にアライメントしてカップを取り付けるカップ取付装置にて使用すために、レンズより下方の拡散照明光の光路中に配置されるパターン板であり、
二重焦点レンズの小玉の境界を確認するために、小玉の左側境界及び右側境界がそれぞれ位置する内側から外側にかけて広がった領域に少なくとも形成された連続性を持つパターンであって、小玉の外側領域にて観察されるパターンに対して、小玉の内側領域内の左側境界付近及び右側境界付近にて観察されるパターンの連続性に小玉の屈折力によりずれを発生させるパターンが形成されていることを特徴とするパターン板。
【発明の詳細な説明】
【技術分野】
【０００１】
本発明は、眼鏡レンズの周縁加工時に使用するカップを被加工レンズに取付けるカップ取付け装置（軸打ち機）及び該装置にて使用するためのパターン板に関する。
【背景技術】
【０００２】
眼鏡レンズ周縁加工装置により眼鏡レンズを加工する前段階の作業として、軸打ち機と呼ばれるカップ取付け装置により加工治具としてのカップを眼鏡レンズの前側屈折面に取り付ける。この種の装置としては、カップ取付の基準軸とレンズに付された印点等を所定の位置関係にアライメントするために、平行光束により照明されたレンズの像をスクリーン板に投影し、スクリーン板に投影されたレンズ像を観察する投影タイプのものと（特許文献１、特許文献２参照）、眼鏡レンズの下に配置した拡散板を介して拡散照明光でレンズを照明し、拡散照明光で照明されたレンズ像を目視又はカメラで撮像して観察するものが知られている（例えば、特許文献３参照）。拡散照明光を使用するタイプの装置においては、投影タイプのものに比べて印点等を観察して行うアライメントが、レンズの屈折力やプリズムの影響を受けずに精度良く行える。
【特許文献１】特開２００２−２８３２０２号公報
【特許文献２】特開２００２−２９２５４７号公報
【特許文献３】特開２００５−６６７３５号公報
【発明の開示】
【発明が解決しようとする課題】
【０００３】
しかし、拡散照明光を使用するタイプの装置においては、レンズコバが薄い弱度屈折力のプラスレンズの外周エッジが判別し難いことがある。また、二重焦点レンズの場合には、小玉とその外側屈折面との境界が判別し難いことがある。この対応として、側面方向から強い光によりレンズを照明し、レンズの外周エッジや小玉の境界部分を光らせる方法をとることも考えられるが、視認性の改善は十分でなかった。
【０００４】
本発明は、上記従来装置の問題点に鑑み、レンズの外周エッジや二重焦点レンズの小玉の境界部分の視認性を高めることができるカップ取付け装置及び該装置にて使用するパターン板を提供することを技術課題とする。
【課題を解決するための手段】
【０００５】
上記課題を解決するために、本発明は以下のような構成を備えることを特徴とする。
【０００６】
（１）  眼鏡レンズよリ大きな径の拡散照明光により照明されたレンズを観察し、カップ取り付けの基準軸に対してレンズを所定の位置関係にアライメントしてカップを取り付けるカップ取付装置において、
レンズより下方の拡散照明光の光路中に配置されるパターン板を備え、
前記パターン板には、レンズの外周エッジを確認するために、レンズの外周エッジの内側から外側にかけて広がった領域で、且つレンズの外周エッジの確認が必要な円周方向の領域に少なくとも形成された連続性を持つパターンであって、拡散照明光によりレンズの外側領域にて観察されるパターンに対して、レンズの内側領域のエッジ付近にて観察されるパターンの連続性にレンズが持つ屈折力によりずれを発生させるパターンが形成されていることを特徴とする。
（２）  （１）のカップ取付装置において、前記パターンは、レンズの外周エッジに対して斜めに横切るライン状のパターンを持つことを特徴とする。
（３）  （１）のカップ取付装置において、前記パターン板には、さらに二重焦点レンズの小玉の境界を確認するために、小玉の左側境界及び右側境界がそれぞれ位置する内側から外側にかけて広がった領域に少なくとも形成された連続性を持つ第２のパターンであって、小玉の外側領域にて観察されるパターンに対して、小玉の内側領域内の左側境界付近及び右側境界付近にて観察されるパターンの連続性に小玉の屈折力によりずれを発生させる第２のパターンが形成されていることを特徴とする。
（４）  眼鏡レンズよリ大きな径の拡散照明光により照明されたレンズを観察し、カップ取り付けの基準軸に対してレンズを所定の位置関係にアライメントしてカップを取り付けるカップ取付装置において、
レンズより下方の拡散照明光の光路中に配置されるパターン板を備え、
前記パターン板には、二重焦点レンズの小玉の境界を確認するために、小玉の左側境界及び右側境界がそれぞれ位置する内側から外側にかけて広がった領域に少なくとも形成された連続性を持つパターンであって、小玉の外側領域にて観察されるパターンに対して、小玉の内側領域内の左側境界付近及び右側境界付近にて観察されるパターンの連続性に小玉の屈折力によりずれを発生させるパターンが形成されていることを特徴とする。
（５）  （４）のカップ取付装置において、前記パターンは、小玉の左側境界及び左側境界に対して斜めに横切るライン状のパターンを持つことを特徴とする。
（６）  眼鏡レンズよリ大きな径の拡散照明光により照明されたレンズを観察し、カップ取り付けの基準軸に対してレンズを所定の位置関係にアライメントしてカップを取り付けるカップ取付装置にて使用すために、レンズより下方の拡散照明光の光路中に配置されるパターン板であり、
レンズの外周エッジを確認するために、レンズの外周エッジの内側から外側にかけて広がった領域で、且つレンズの外周エッジの確認が必要な円周方向の領域に少なくとも形成された連続性を持つパターンであって、レンズの外側領域にて観察されるパターンに対して、レンズの内側領域のエッジ付近にて観察されるパターンの連続性にレンズが持つ屈折力によりずれを発生させるパターンが形成されていることを特徴とする。
（７）  眼鏡レンズよリ大きな径の拡散照明光により照明されたレンズを観察し、カップ取り付けの基準軸に対してレンズを所定の位置関係にアライメントしてカップを取り付けるカップ取付装置にて使用すために、レンズより下方の拡散照明光の光路中に配置されるパターン板であり、
二重焦点レンズの小玉の境界を確認するために、小玉の左側境界及び右側境界がそれぞれ位置する内側から外側にかけて広がった領域に少なくとも形成された連続性を持つパターンであって、小玉の外側領域にて観察されるパターンに対して、小玉の内側領域内の左側境界付近及び右側境界付近にて観察されるパターンの連続性に小玉の屈折力によりずれを発生させるパターンが形成されていることを特徴とする。
【発明の効果】
【０００７】
本発明によれば、レンズの外周エッジ、二重焦点レンズの小玉の境界の視認性を高めることができる。
【発明を実施するための最良の形態】
【０００８】
本発明の実施形態を図面に基づいて説明する。図１は本発明に係る装置の外観斜視図であり、図２は装置の光学系及び制御系の概略構成を示す図である。
【０００９】
装置本体１は側方視が略コの字状をした筐体を持つ。台座１ａの上面には、被加工レンズである未加工の眼鏡レンズＬＥの径より大きな拡散面を持つ拡散板１０がリング部材１１によって取付けられている。拡散板１０上にはレンズＬＥを支持するための部材として、３個の支持ピン１２がカップ取付けの基準軸Ｌ１を中心に等間隔で植設されている。拡散板１０の下側には白色光を発するＬＥＤ等の照明光源１４が配置されている。拡散板１０は乳白色のガラスまたはプラスチック部材からなり、照明光源１４側に拡散面が形成されている。レンズＬＥは、照明光源１４と拡散板１０とからなる拡散照明光学系の拡散照明光により照明される。レンズＬＥより上側の基準軸Ｌ１上には、撮影レンズ３１，ＣＣＤカメラ３２が配置されている。撮影レンズ３１の撮影光軸は基準軸Ｌ１と同軸とされている。台座１ａの手前側には表示パネル３が設けられている。パネル３はタッチパネル式であり、操作者はパネル３に表示される設定項目を選択操作することにより各種条件を設定することができる。パネル３にはＣＣＤカメラ３２により撮像されたレンズ像が表示される。
【００１０】
拡散板１０とレンズＬＥとの間には、レンズ外周エッジ及び二重焦点レンズの小玉境界を確認するためのパターンが形成されたパターン板８０が配置されている。パターン板８０は拡散板１０上に着脱自在に置かれる。また、支持ピン１２は１０〜２０ｍｍ程の長さを持ち、レンズＬＥはパターン板８０から離されて支持される。
【００１１】
図３は、パターン板８０の構成を説明する図である。パターン板８０は厚さ２mm程の透明なアクリルから成り、基準軸Ｌ１に略一致される中心点Ｏを中心に支持ピン１２を通す３個の孔８２が形成されている。パターン板８０の表面には、レンズの外周エッジを確認するための連続性を持つ第１のパターン８１と二重焦点レンズの小玉境界を確認するための連続性を持つ第２のパターン９１がシルク印刷により形成されている。
【００１２】
パターン８１は、レンズＬＥの外周エッジの内側から外側にかけて広がった領域に形成され、また、レンズＬＥの外周エッジの確認が必要な円周方向の領域に少なくとも形成されている。本実施形態では、パターン８１の領域は中心点Ｏを中心として半径ｒ１＝２５mmの境界８５と半径ｒ２＝４５mmの境界８６で囲まれた領域８７とされている。パターン８１の形態は、レンズＬＥの外周エッジに対して斜めに横切るライン状のパターン（言い換えると、レンズＬＥの外周エッジの法線方向から傾いて横切るライン状のパターン）として、円弧ラインを等間隔に９０本に形成したパターンとしている。図３の例では、１つの円弧ラインが内側境界８５上の点８１ｓ１を起点として、外側境界８６上でα＝２５°となる終点８１ｓ２まで延ばし、且つ半径４０ｍｍの円弧を持つラインで描いている。これにより、半径ｒ１＝２５ｍｍより大きく、半径ｒ２＝４５mm未満の外径のレンズにおいて、何れの外周エッジについても円弧ラインが約４５度前後で横切るようになる。レンズＬＥの外周エッジを斜めに横切るラインの角度としては、２０〜７０度の範囲であることが好ましい。
【００１３】
図３のパターン８１はレンズＬＥの円周方向の全領域に形成されているが、これはレンズＬＥの外周エッジの確認が必要な円周方向の領域に少なくとも形成されていれば良い。すなわち、レンズＬＥの上側及び下側（レンズを装用したときの上下を言う）については、玉型形状の配置関係によるレンズ径の確認は必ずしも必要無いので、図３上の領域８７の上側及び下側のパターン８１は省かれていても良い。実用的には、少なくとも中心点Ｏを中心にして上下幅４０mmの領域にパターン８１が形成されていれば良い。また、第１のパターン８１のみを形成する場合、パターン板８０の中心部分までパターン８１が形成されていても良いが、中央領域ではレンズに付された印点を観察しやすくするため、中央領域についてはパターン８１を省くことが好ましい。
【００１４】
第２のパターン９１の領域は、パターン８１が形成された境界８５の内側領域で、且つ中心点Ｏよりやや下側半分（図３の例では中心Ｏより３ｍｍ下側）の領域９０とされている。パターン板８０を拡散板１０上に配置するとき、中心点Ｏよりやや下側半分の領域９０が装置本体１に向かって手前側に置かれる。二重焦点レンズをアライメントするときは、その小玉部分が領域９０内にほぼ入るようになっている。二重焦点レンズの小玉の境界を確認するために、パターン９１は小玉の左側境界及び右側境界がそれぞれ位置する内側から外側にかけて広がった領域に少なくとも形成されていればよい。例えば、小玉の上半部が入ればよい。パターン９１の形態は、二重焦点レンズの小玉を置いたとき、ほぼ縦方向に延びる左側境界及び右側境界に対して、できるだけ斜めに横切るライン状の連続性を持つパターンとして形成されている。図３の例では、横軸に対して４５°及び１３５°で互いに直交する方向に連続性を持つ直線を配置した格子ラインとしている。各ラインの間隔は等間隔であり、例えば、１ｍｍである。
【００１５】
境界８５の内側領域で、中心Ｏを含み、パターン９１の領域９０より上側の領域は、レンズ屈折面に施された印点を観察し易いように、パターンの無い透明領域とされている。
【００１６】
なお、パターン板８０は、３個の孔８２に支持ピン１２を通して拡散板１０上に着脱自在に配置する構成としたが、拡散板１０のレンズＬＥ側の面にパターン８１，９１を形成し、拡散板１０をパターン板８０として兼用する構成としても良い。
【００１７】
図１において、カップ取付機構２０が持つカップ取付けアーム２１は、装置本体１に対して回転軸２３を中心に上下動可能でかつ回転可能に保持されている。アーム２１の先端の下側に、カップＣ（レンズ屈折面に取り付けられる加工治具）を装着するための装着部２２が配置されている。カップＣを取り付け時、操作者は装着部２２にカップＣの基部を取付け、アーム２１を回転させてカップＣの中心を基準軸Ｌ１上に位置させる。その後、アーム２１を下方向に押すことでカップＣをレンズＬＥに取付けることができる（カップ取付機構２０の詳細は、例えば特開２００２−２８３２０２号公報等、周知の機構を使用できる）。２５はレンズ押えであり、回転軸２６を中心に上下動と回転が可能となっている。
【００１８】
図２において、制御部５０は装置本体１に内蔵され、各種回路等を制御する。ＣＣＤカメラ３２からの画像信号は画像合成回路５１に入力され、画像合成回路５１は制御部５０に接続された表示回路５２で生成される文字やマーク等と合成して表示パネル３のディスプレイに表示する。また、制御部５０には、表示パネル３のタッチ検知部５５、入力されたデータ等を記憶するメモリ５６、外部装置とデータの送受信を行うデータ送受信部５７等が接続されている。データ送受信部５７を介して、眼鏡枠形状測定装置１００，眼鏡レンズ周縁加工装置１０１とのデータの送受信が可能である。
【００１９】
以上のような構成を持つ装置の動作を説明する。まず、レンズＬＥが単焦点レンズであり、屈折面に印点が施されたレンズにカップＣを取り付ける場合を説明する。
【００２０】
眼鏡枠形状測定装置１００で測定された玉型データは、パネル３に表示される所定のデータ転送スイッチを押すことにより、装置本体１に入力されてメモリ５６に記憶される。玉型データが入力されると、パネル３の画面上（図２参照）に玉型形状データに基づく玉型図形６０が表示され、レイアウトデータ及び加工条件を入力可能になる。操作者は、パネル３のスイッチ部３ｂに表示されるスイッチにより、レンズＬＥの左右の区別、装用者のＰＤ値、ＦＰＤ値、光学中心の高さ等のレイアウトデータ、レンズの材質、フレームの材質等の加工条件を入力する。また、単焦点レンズの場合は、レイアウトモードを単焦点モード（二重焦点以外のモード）を選択する。
【００２１】
単焦点モードを選択すると、パネル３のアライメント表示部３ａの画面上には玉型形状図形６０の他、レンズＬＥに取り付けられるカップＣの外形形状を表す円形カップ図形６１、レンズ屈折面に施された印点をアライメントするためのアライメントマーク６３が表示される。円形カップ図形６１は、カップ取付け中心である基準軸Ｌ１に対応する画面上の位置を中心にして表示される。レンズの光学中心にカップＣを取り付ける光心モードが選択された場合、円形カップ図形６１はアライメントマーク６３の中心位置６２に表示される。
【００２２】
必要なデータの入力ができたら、操作者はレンズＬＥを拡散板１０上の支持ピン１２に載せ、レンズＬＥを移動してカップ取付けのためのアライメントを行う。レンズＬＥの屈折面には予めレンズメータを使用して印点を施しておく。レンズＬＥは拡散照明光により照明され、ＣＣＤカメラ３２によりレンズＬＥの全体像が撮像される。パネル３の画面上には、ＣＣＤカメラ３２により撮像されたレンズ像ＬＥＰが玉型形状図形６０等の表示と合成されて映し出される（図２参照）。操作者はパネル３を見ながら３つの印点の内、光学中心に施された印点が中心位置６２に合うようにアライメントする。また、３つの印点がマーク６３内に入って水平になるようにして軸角度のアライメントを行う。アライメント完了後、パネル３の画面を観察してレンズ像ＬＥＰのエッジが玉型形状図形６０を満足しているか否か（レンズ径が足りているか否か）を確認する。
【００２３】
ここで、レンズＬＥがマイナスレンズの場合には、従来と同じように、パターン８１が無くても、レンズＬＥの外側領域の輝度に対して、レンズＬＥの内側領域では暗く見えるため（カメラ３２に入射する散乱照明光の光量が減少するため）、レンズＬＥのエッジを認識できる。コバの厚みが厚い場合（２ｍｍ以上ある場合）も、コバで反射されてカメラ３２に入射する散乱照明光が減少し、レンズＬＥの外側領域に対してレンズＬＥの内側領域が暗く見えるため、レンズＬＥのエッジを認識できる。レンズＬＥがプラスレンズで、且つ屈折力が強い場合には（＋１．０Ｄ以上）、レンズＬＥの外側領域の輝度に対して、レンズＬＥの内側領域が明るく見えるため（カメラ３２に入射する散乱照明光の光量が増加するため）、レンズＬＥのエッジを認識できる。
【００２４】
ところが、レンズコバが薄い弱度屈折力（例えば、＋１．０Ｄ未満）のプラスレンズの場合には、レンズＬＥの外側領域と内側領域とに輝度の差が生じ難いので、明るさの違いのみではレンズＬＥのエッジが認識し難い。そこで、拡散板１０とレンズＬＥとの間にパターン８１を持つスケール板８０を配置し、これを通して散乱照明光が透過したレンズＬＥの像を観察する。
【００２５】
図４は、その観察像の例である。図４において、レンズＬＥのエッジより外側に位置するパターン像８１ａは、レンズＬＥの屈折力の影響を受けないので、パターン板８０に形成されたパターン８１の円弧ラインとしてそのまま観察される。一方、レンズＬＥの内側に位置するパターン８１の円弧ラインは、レンズＬＥの屈折力の影響を受けるため、元のパターン８１の円弧ラインから連続性がずれた円弧ラインのパターン像８１ｂとして観察される。したがって、レンズＬＥのエッジではパターン像８１ａとパターン像８１ｂとの間の連続性にずれが生じて分離して見え、これがレンズＬＥの全周でほぼ同じように観察される。これにより、レンズＬＥの外周エッジを容易に判断できる。そして、図４の例では、レンズ像ＬＥＰの領域に対して玉型形状図形６０が内側に位置しているので、玉型形状に対してレンズＬＥの径が足りていると判断される。
【００２６】
レンズＬＥの径に問題なければ、カップ取付機構２０を操作してカップＣをレンズＬＥの屈折面に固定する。パネル３を使用して入力された玉型データ，レイアウトデータ等のデータは、所定のスイッチを押すことにより眼鏡レンズ周縁加工装置１０１側に転送され、加工時に利用される。
【００２７】
次に、レンズＬＥが二重焦点レンズの場合について説明する。レイアウトモードについては、二重焦点モードを選択する。前述と同様に、玉型データを入力した後、レンズＬＥの左右の区別、ＦＰＤ値、近用ＰＤ値、小玉上境界線の高さ位置等のレイアウトデータを入力する。二重焦点モードの場合、図５のように、パネル３の表示部３ａには、円形カップ図形６１，玉型形状図形６０の他、レイアウトデータに基づいて小玉形状を模したマーク６７が表示される。図５はレンズＬＥが右眼用の例であり、小玉形状を模したマーク６７はカップ取付中心６２（基準軸Ｌ１に対応した位置）に対して右側に表示される。マーク６７の上境界中心はカップ取り付け中心６２に対してレイアウトデータに基づく位置関係にて表示される。二重焦点モードでは、レンズＬＥの小玉がマーク６７と所定の関係になるようにアライメントする。この例では、レンズＬＥの小玉の上境界をマーク６７の上境界中心に一致させ、またレンズＬＥの小玉の左側境界及び右側境界が、小玉マーク６７の左右に対して均等に位置するようにアライメントする。
【００２８】
ここで、拡散照明光により照明されたレンズＬＥの小玉部分の加入度が強くない場合、小玉領域内と小玉領域外の輝度差が少なく、その境界が識別し難い。この場合、拡散板１０とレンズＬＥとの間にパターン９１を持つスケール板８０が配置された状態で、散乱照明光が透過したレンズＬＥの小玉を観察する。図６は、その観察像の例であり、パターン９１の領域付近を拡大して図示している。
【００２９】
図６において、小玉の領域内で観察される格子パターン９１ｂは、小玉が持つ加入度の屈折力の影響を受け、小玉の外側領域（遠用領域）に観察される格子パターン像９１ａに対して、パターンの連続性にずれが生じて観察される。さらに、小玉領域内で観察される格子パターン像９１ｂの格子ラインの間隔は、小玉の外側領域で観察される格子パターン像９１ａの格子ラインの間隔に対して拡大されて観察される。これにより、小玉の位置を認識できる共に、アライメント時に着目する小玉の左右の境界部分９２が認識できる。小玉の上境界部分９３は遠用領域に対して段差となっており、拡散照明によって輝度が暗くなる。このため、ある程度は境界部分９３を認識できる。さらに、格子パターン像９１ａと格子パターン９１ｂとの間の連続性にずれが生じていることにより、上境界部分９３についても容易に認識できる。
【００３０】
なお、パターン９１の格子ラインは、小玉の左斜め下及び右斜め下の境界部分に対して接線方向及び法線方向に近い形で横切るため、パターン像９１ａとパターン像９１ｂとのずれだけでは厳密な境界が認識できないが、アライメント時の着目部分でないため、その影響は少ない。
【００３１】
二重焦点レンズにおいても、小玉マーク６７に対してレンズＬＥの小玉部分を所定の関係にアライメントできたら、パターン８１によりレンズ外周エッジを確認する。玉型形状に対してレンズＬＥの径が足りていると判断されれば、カップ取付機構２０を操作してカップＣをレンズＬＥの屈折面に固定する。
【００３２】
図７は、レンズ外周エッジを確認するためのパターンにおける変容例の説明図である。図３のパターン８１においては、レンズＬＥの外周エッジを斜めに横切るラインを円弧ラインとしたが、図７（ａ）のパターン１２１では直線としている。図７（ｂ）は、プラスレンズを置いたときにパネル３の画面３ａに表示される観察像の例である。この例においても、レンズＬＥの内側領域のパターン像１２１ｂは、レンズＬＥのエッジより外側に位置するパターン像１２１ａに対して、レンズＬＥの屈折力によりパターンの連続性にずれが生じて観察される。これにより、レンズＬＥの外周エッジを容易に認識でき、玉型形状図形６０と比較することにより、レンズ径が足りているか否かを確認できる。
【００３３】
図８は、レンズ外周エッジを確認するためのパターンにおける、さらなる変容例の説明図である。図８（ａ）のパターンは、図３の第２のパターン９１と同じように、横軸に対して４５°及び１３５°で互いに直交する方向に規則的にラインを配置した格子パターン１３１とした例である。図８（ｂ）はプラスレンズを置いたときにパネル３の画面３ａに表示される観察像の例であり、レンズＬＥの内側領域のパターン像１３１ｂは、レンズＬＥのエッジより外側に位置するパターン像１３１ａに対して、レンズＬＥの屈折力によりパターンの連続性にずれが生じて観察される。このパターンの場合、格子ラインがレンズの外周エッジに対して接する方向及び法線方向となる４５度方向，１３５度方向，２２５度方向及び３１５度方向の近辺においては、レンズの外周エッジの認識がやや不明瞭になるものの、玉型形状図形６０がレンズの外周エッジに近接していなければ、レンズ径が足りているか否かの判断は可能である。
【００３４】
なお、図３、図７及び図８の何れにおいても、通常、図上の９０度近辺及び２７０度近辺は玉型形状図形６０が位置することは無いので、この近辺のパターンは部分的に欠落していても良い。
【００３５】
図９は、二重焦点レンズの小玉境界を確認するためのパターンにおける変容例の説明図である。図９（ａ）の領域９０内のパターン１５１は、横軸（左右方向）に対して６０度に傾いた直線ラインで形成されている。各ラインの間隔は図３のパターン９１より広く、１．５mmであり、ラインの太ささも図３のパターン９１より太くしている。図９（ｂ）は、二重焦点レンズを置いたときの観察像の例である。パターン１５１は小玉の左側及び右側の境界１５２に対して斜めに横切る形となっている（小玉のカーブの法線方向から傾いている）。このため、小玉の外側領域（遠用領域）に観察されるパターン１５１ａに対して、小玉の左側境界及び右側境界の付近で観察されるパターン１５１ｂは、小玉が持つ加入度の屈折力により、パターンの連続性にずれが生じている。これにより、小玉の左側境界及び右側境界を認識できる。このパターン１５１の場合、図３のパターン９１に対して、見た目の煩わしさは少なく、パターン１５１ａとパターン１５１ｂのずれを認識しやすい。
【００３６】
図１０は、二重焦点レンズの小玉境界を確認するためのパターンにおける、さらなる変容例の説明図である。領域９０内の左側半分のパターン１６１は、横軸（左右方向）に対して４５度傾いた直線ラインで形成されている。右側半分のパターン１６２は横軸（左右方向）に対して１３５度傾いた直線ラインで形成されている。観察像の例は略すが、このパターン１６１及び１６２においても、小玉の左側及び右側の境界に対して斜めに横切る形となるため、上記と同様に小玉の境界を認識し易くなる。
【００３７】
以上、レンズ外周エッジを確認するためのパターン８１については、レンズＬＥの外側領域で観察されるパターンに対して、レンズＬＥの内側領域を通過して観察されるパターンの連続性にレンズＬＥの屈折力によりずれを生じさせるパターンであれば、他のパターンであっても良い。二重焦点レンズの小玉境界を確認するためのパターン９１についても、小玉の左側境界及び右側境界がそれぞれ位置する内側から外側にかけて広がった領域に少なくとも形成された連続性を持つパターンであって、小玉の外側領域にて観察されるパターンに対して、小玉の内側領域内の左側境界付近及び右側境界付近にて観察されるパターンの連続性に小玉の屈折力によりずれを発生させるパターンでれば、他のパターンであっても良い。各パターンのラインの太さや間隔を変えても良い。あるいは、各パターンのラインを波線としたり、多数のドットをライン状に配置して視覚的に連続したパターンとしたものも含まれる。
【００３８】
また、上記においては、レンズ外周エッジを確認するためのパターン８１と二重焦点レンズの小玉境界を確認するためのパターン９１を一つのパターン板８０に形成するものとしたが、それぞれ別に形成したパターン板を用意しても良い。二重焦点レンズでないレンズにカップを固定する場合は、レンズ外周エッジを確認するためのパターンが形成されたパターン板を使用する。二重焦点レンズにカップを固定する場合は、二重焦点レンズの小玉境界を確認するためのパターンが形成されたパターン板と交換して使用すればよい。
【００３９】
また、レンズＬＥと玉型形状を観察する手段としては、カメラ３２を用いることなく、直接目視する方式でも良い。この方式において、レンズの観察像と重ねて玉型形状図形６０、アライメント用のマーク６３、小玉形状を模したマーク６７等を表示する場合は、特開２００５−６６７３５号公報等にあるように、観察光路に配置したハーフミラーを利用してディスプレイの表示と光学的に合成すれば良い。
【図面の簡単な説明】
【００４０】
【図１】本発明に係るカップ取付け装置の外観斜視図である。
【図２】装置の光学系および制御系の概略構成を示す図である。
【図３】本発明に係るパターン板を説明する図である。
【図４】単焦点レンズの観察像の例を説明する図である。
【図５】二重焦点レンズのレイアウトを説明する図である。
【図６】二重焦点レンズの小玉部分の観察像を説明する図である。
【図７】レンズ外周を観察するパターンの変容例を説明する図である。
【図８】レンズ外周を観察するパターンのさらなる変容例を説明する図である。
【図９】二重焦点レンズの小玉部分の観察するパターンの変容例を説明する図である。
【図１０】二重焦点レンズの小玉部分を観察するパターンのさらなる変容例を説明する図である。
【符号の説明】
【００４１】
１  装置本体
３  パネル
１０  拡散板
１２  支持ピン
１４  照明光源
３２  ＣＣＤカメラ
５０  制御部
８０  パターン板
【図１】
2007216355.tif 000003
【図２】
2007216355.tif 000004
【図３】
2007216355.tif 000005
【図４】
2007216355.tif 000006
【図５】
2007216355.tif 000007
【図６】
2007216355.tif 000008
【図７】
2007216355.tif 000009
【図８】
2007216355.tif 000010
【図９】
2007216355.tif 000011
【図１０】
2007216355.tif 000012